(57)【要約】【課題】  真正な紙幣の収納動作を極力早いタイミングで開始して不正行為の防止を図ることができる紙幣識別装置を提供する。【解決手段】  紙幣挿入口６１に挿入された紙幣ＰＭを１回の連続搬送で紙幣収納位置（紙幣ＰＭの後端が停止ラインＲＬに合致する位置）に到達するように紙幣搬送が制御されるので、紙幣が真正であるときに該紙幣を識別完了位置からその先の紙幣収納位置に搬送するようにした従前の装置に比べ、紙幣ＰＭが真正であると識別された後に該紙幣の収納動作を極力早いタイミングで開始できる。【選択図】  図１１
2008084153.tif 000002
【特許請求の範囲】
【請求項１】
紙幣挿入口に挿入された紙幣を紙幣通路に沿って搬送する紙幣搬送機構と、紙幣搬送機構に動力を付与する搬送駆動手段と、紙幣収納位置に搬送された紙幣を紙幣収納部に押し込んで収納させる紙幣収納機構と、紙幣収納機構に動力を付与する収納駆動手段とを備えた紙幣識別装置において、
紙幣挿入口に挿入された紙幣が１回の連続搬送で紙幣収納位置に到達するように搬送駆動手段を制御する搬送制御手段と、
紙幣が紙幣収納位置に到達するまでの搬送途中で該紙幣の真偽を識別する真偽識別手段と、
紙幣収納位置に到達した紙幣が真正であるときに該紙幣が紙幣収納部に収納されるように収納駆動手段を制御する収納制御手段と、
紙幣収納位置に到達した紙幣が真正でないときに該紙幣が紙幣挿入口に返却されるように搬送駆動手段を制御する返却制御手段とを備える、
ことを特徴とする紙幣識別装置。
【請求項２】
紙幣搬送機構は無端ベルトと該無端ベルトに接触する複数のローラとを備えており、
紙幣収納位置に最も近いローラは無端ベルトとの協働によって紙幣収納位置に到達した紙幣の後端部を挟み込んで保持できる位置に配されている、
ことを特徴とする請求項１に記載の紙幣識別装置。
【請求項３】
搬送駆動手段はモータを動力源として備えており、
搬送制御手段と返却制御手段はモータに供給される駆動信号の計時値によって紙幣搬送量を制御する、
ことを特徴とする請求項１または２に記載の紙幣識別装置。
【発明の詳細な説明】
【技術分野】
【０００１】
本発明は、自動販売機等に用いられる紙幣識別装置に関する。
【背景技術】
【０００２】
自動販売機等に用いられる紙幣識別装置は、紙幣挿入口に挿入された紙幣を紙幣通路に沿って搬送する紙幣搬送機構と、紙幣搬送機構に動力を付与する搬送駆動手段と、紙幣収納位置に搬送された紙幣を紙幣収納部に押し込んで収納させる紙幣収納機構と、紙幣収納機構に動力を付与する収納駆動手段とを備える。
【０００３】
搬送機構は無端ベルトと該無端ベルトに接触する複数のローラとを有しており、紙幣通路は無端ベルトと各ローラとの境界面を含んでいる。搬送駆動手段はモータ等を動力源として有しており、紙幣搬送機構の無端ベルトに紙幣搬送用の動力を付与する。紙幣収納機構は平行移動を可能とした紙幣収納プレートを有しており、紙幣収納プレートと向き合う部分に紙幣収納部を有している。収納駆動手段はモータ等を動力源として有しており、紙幣収納機構の紙幣収納プレートに紙幣収納用の動力を付与する。
【０００４】
この紙幣識別装置にあって、紙幣挿入口に挿入された紙幣は紙幣搬送機構の動作（無端ベルトの所定方向回転）によって識別完了位置に搬送される。真偽識別センサによる紙幣の真偽識別は紙幣が識別完了位置に到達するまでの搬送途中で行われ、識別完了位置に到達した紙幣が真正でないとき（識別不可も含む）は該紙幣は紙幣搬送機構の動作（無端ベルトの逆方向回転）によって紙幣挿入口に返却される。識別完了位置に到達した紙幣が真正であるときは該紙幣は紙幣搬送機構の動作（無端ベルトの所定方向回転）によって識別完了位置からその先の紙幣収納位置に搬送される。紙幣収納位置に到達した紙幣は紙幣収納機構の動作（紙幣収納プレートの平行移動）によって紙幣収納部に押し込まれ該紙幣収納部に収納される。
【特許文献１】特開２００５−４３７５
【発明の開示】
【発明が解決しようとする課題】
【０００５】
従前の紙幣識別装置では、紙幣が真正でないときの返却時間を短縮するために紙幣挿入口に挿入された紙幣を紙幣収納位置よりも手前の識別完了位置で停止させているが、紙幣が真正であるときは該紙幣を識別完了位置からその先の紙幣収納位置に搬送する時間が紙幣の収納動作を開始するまでの時間として加算されてしまう。
【０００６】
紙幣識別装置に対する不正行為、例えば、テープ等を付けた真正な紙幣を挿入して識別完了後に該紙幣を抜き取る行為を防ぐためには、紙幣が真正であると識別された後に該紙幣の収納動作を極力早いタイミングで開始することが望ましいが、前記のような時間（紙幣を識別完了位置から紙幣収納位置に搬送する時間）が存在する場合には該時間を悪用して不正行為が行われる可能性を否定できない。
【０００７】
本発明は前記事情に鑑みて創作されたもので、その目的とするところは、真正な紙幣の収納動作を極力早いタイミングで開始して不正行為の防止を図ることができる紙幣識別装置を提供することにある。
【課題を解決するための手段】
【０００８】
前記目的を達成するため、本発明は、紙幣挿入口に挿入された紙幣を紙幣通路に沿って搬送する紙幣搬送機構と、紙幣搬送機構に動力を付与する搬送駆動手段と、紙幣収納位置に搬送された紙幣を紙幣収納部に押し込んで収納させる紙幣収納機構と、紙幣収納機構に動力を付与する収納駆動手段とを備えた紙幣識別装置において、紙幣挿入口に挿入された紙幣が１回の連続搬送で紙幣収納位置に到達するように搬送駆動手段を制御する搬送制御手段と、紙幣が紙幣収納位置に到達するまでの搬送途中で該紙幣の真偽を識別する真偽識別手段と、紙幣収納位置に到達した紙幣が真正であるときに該紙幣が紙幣収納部に収納されるように収納駆動手段を制御する収納制御手段と、紙幣収納位置に到達した紙幣が真正でないときに該紙幣が紙幣挿入口に返却されるように搬送駆動手段を制御する返却制御手段とを備える、ことをその特徴とする。
【０００９】
この紙幣識別装置によれば、紙幣挿入口に挿入された紙幣を１回の連続搬送で紙幣収納位置に到達するように紙幣搬送が制御されるので、紙幣が真正であるときに該紙幣を識別完了位置からその先の紙幣収納位置に搬送するようにした従前の装置に比べ、紙幣が真正であると識別された後に該紙幣の収納動作を極力早いタイミングで開始できる。これにより、従前の装置のような時間（紙幣を識別完了位置からその先の紙幣収納位置に搬送する時間）を無くせるので、該時間を悪用されて不正行為、例えば、テープ等を付けた真正な紙幣を挿入して識別完了後に該紙幣を抜き取る行為が行われることを防止できる。
【発明の効果】
【００１０】
本発明によれば、真正な紙幣の収納動作を極力早いタイミングで開始して不正行為の防止を図ることができる紙幣識別装置を提供できる。
【００１１】
本発明の前記目的とそれ以外の目的と、構成特徴と、作用効果は、以下の説明と添付図面によって明らかとなる。
【発明を実施するための最良の形態】
【００１２】
図１〜図１３は本発明（紙幣識別装置）の一実施形態を示す。図１は紙幣識別装置を前側から見た斜視図、図２は図１に示した紙幣識別装置を後側から見た斜視図、図３は図１及び図２に示した紙幣識別装置の縦断面図、図４は図１及び図２に示した紙幣識別装置の上面図、図５は図３の要部拡大図、図６は図１〜図４に示した係止レバーの斜視図、図７は図１〜図４に示した係止レバーと係止片との位置関係を示す図、図８は紙幣識別装置の紙幣搬送に係るコントロールシステムを示す図、図９は紙幣識別装置の紙幣搬送に係るプログラムフローを示す図、図１０〜図１３は紙幣識別装置の紙幣搬送に係る動作説明図である。以下の説明では、図１の手前側を前、奥側を後、左側を左、右側を右として表記する。
【００１３】
まず、図１〜図７を参照して、紙幣識別装置のメカニズムについて説明する。
【００１４】
図１〜図７に示した紙幣識別装置は、メインフレーム１０と、ベースボックス２０と、前側シュート３０と、紙幣搬送ユニット４０と、後側シュート５０と、マスク６０と、紙幣収納カセット７０と、係止解除レバー８０とを備えている。
【００１５】
ベースボックス２０は上面及び後面を開口した箱形を成し、その前面をメインフレーム１０の後面下部に固定されている。このベースボックス２０は、紙幣ＰＭ（図１０〜図１３参照）を紙幣収納カセット７０内に押し込むための縦長矩形状の紙幣収納プレート２１と、該紙幣収納プレート２１を前後に平行移動させるリンク機構２２と、モータ（図８の符号１０４参照），減速用歯車及び駆動レバーを有する収納駆動源（図示省略）と、上部後側の左右にその中心線が左右方向を向くように設けられた後側シュート用の軸支孔２３とを有している。
【００１６】
リンク機構２２は、各々の上端を紙幣収納プレート２１に回転自在に連結され、且つ、各々の下端をベースボックス２０に回転自在に連結された左右一対の上側リンク２２ａと、各々の上端をベースボックス２０に回転自在に連結され、且つ、各々の下端を紙幣収納プレート２１に回転自在に連結された左右一対の下側リンク２２ｂと、上側リンク２２ａと下側リンク２２ｂで共通の操作軸２２ｃとを有している。操作軸２２ｃには駆動レバー（図示省略）が係合しており、該駆動レバー（図示省略）の前後移動に伴ってリンク機構２２はその形態を変化して紙幣収納プレート２１を前後に平行移動させる。
【００１７】
前側シュート３０は全体が略矩形状を成し、その前面をメインフレーム１０の後面上部に固定されている。この前側シュート３０は、後側に張り出した上部湾曲部３１と、前側に張り出した下部湾曲部３２と、上下左右に間隔をおいて回転自在に、且つ、その一部が後側に露出するように設けられた計４個のローラ３３と、紙幣搬送ユニット取付部（図示省略）と、その一部が後側に露出するように設けられた挿入検知センサ３４とを有している。
【００１８】
挿入検知センサ３４と後述の挿入検知センサ４４の一方は発光ダイオード等から成る複数の発光素子によって構成され、他方はフォトダイオードやフォトトランジスタ等から成る複数の受光素子によって構成されている。挿入検知センサ３４と４４のうちの受光側で検知された光の強度変化に係る信号は後述のディテクタ１０３を通じて後述のコントローラ１０１に送出される。
【００１９】
また、計４個のローラ３３のうちの右側の２個のローラ３３は紙幣搬送ユニット４０の右側の無端ベルト４３の前側の上下位置に対応していてその露出部分を該無端ベルト４３に接触し、左側の２個のローラ３３は紙幣搬送ユニット４０の左側の無端ベルト４３の前側の上下位置に対応していてその露出部分を該無端ベルト４３に接触している。
【００２０】
さらに、前側シュート３０は、上部両側に設けられ後方向に向けて突出する横長矩形状の係止片３５を有している。各係止片３５は弾性による左右方向の変形を可能としており、各々の後端内側には傾斜面３５ａが設けられ、略前後方向中間位置にはその中心線が左右方向を向く係止孔３５ｂが設けられている。両係止片３５の外面の左右間隔は後側シュート５０の左右寸法とほぼ一致している。
【００２１】
紙幣搬送ユニット４０は全体が略直方体形状を成し、前側シュート３０の紙幣搬送ユニット取付部（図示省略）に着脱自在に取り付けられている。この紙幣搬送ユニット４０は、ユニット本体４１と、ユニット本体４１の上部左右に回転自在に設けられたプーリ４２と、ユニット本体４１の下部左右に共通回転軸を通じて回転自在に設けられたプーリ４２と、紙幣ＰＭの幅方向両側部に向き合うように左側の２個のプーリ４２と右側の２個のプーリ４２にそれぞれ巻き付けられた２つの無端ベルト４３と、左側の下側プーリ４２に同軸上に連結された従動歯車（図示省略）と、その一部が前側に露出して挿入検知センサ３４と向き合うようにユニット本体４１内に設けられた挿入検知センサ４４と、その一部が後側に露出するようにユニット本体４１内に設けられた真偽識別センサ４７とを有している。
【００２２】
真偽識別センサ４７と後述の真偽識別センサ５３の一方は発光ダイオード等から成る複数の発光素子によって構成され、他方はフォトダイオードやフォトトランジスタ等から成る複数の受光素子によって構成されている。真偽識別センサ４７と５３のうちの受光側で検知された光の強度変化に係る信号は後述のディテクタ１０３を通じて後述のコントローラ１０１に送出される。
【００２３】
後側シュート５０は全体が略直方体形状を成す。この後側シュート５０は、前側に張り出した湾曲部５１と、上下左右に間隔をおいて回転自在に、且つ、その一部が前側に露出するように設けられた計４個のローラ５２と、その一部が前側に露出して真偽識別センサ４７と向き合うように設けられた真偽識別センサ５３と、モータ（図８の符号１０５参照），減速用歯車及び駆動歯車を有する搬送駆動源（図示省略）と、回転自在に軸支され、且つ、その先端が縦長スリット５０ａから前方に突出してユニット本体４１の後面に接するようにコイルバネ（図示省略）によって図３中で反時計回り方向に付勢された紙幣検知レバー５４と、紙幣通過に伴う紙幣検知レバー５４の動きを検知する通過検知センサ５５と、下面後側の左右に設けられた支持片５６と、各支持片５６にその中心線が左右方向に向くように設けられた軸部５６ａとを有している。この後側シュート５０は左右の軸部５６ａをベースボックス２０の左右の軸支孔２３に回転自在に挿入され、軸支箇所を支点とした回転動作による開閉ができるようにベースボックス２０に取り付けられている。
【００２４】
通過検知センサ５５は発光ダイオード等から成る発光素子とフォトダイオードやフォトトランジスタ等から成る受光素子との組み合わせによって構成されている。通過検知センサ５５の受光素子で検知された光の強度変化に係る信号は後述のディテクタ１０３を通じて後述のコントローラ１０１に送出される。
【００２５】
また、計４個のローラ５２のうちの右側の２個のローラ５２は紙幣搬送ユニット４０の右側の無端ベルト４３の後側の上下位置に対応していてその露出部分を該無端ベルト４３に接触し、左側の２個のローラ５２は紙幣搬送ユニット４０の左側の無端ベルト４３の後側の上下位置に対応していてその露出部分を該無端ベルト４３に接触している。図３及び図５から分かるように、下側の左右２個のローラ５２は突出片５０ｂに回転自在に設けられていて各々の中心線は下側の左右２個のプーリ４２の中心線とほぼ同じ高さにあり、各ローラ５２は後述の紙幣搬送位置に到達した紙幣の後端部を左右の無端ベルト４３との協働によって挟み込んで保持することができる。
【００２６】
搬送駆動源の駆動歯車（図示省略）は後側シュート５０を閉塞した状態で紙幣搬送ユニット４０の従動歯車（図示省略）に噛合する。つまり、紙幣搬送ユニット４０の各無端ベルト４３は搬送駆動源の駆動歯車（図示省略）から従動歯車（図示省略）に伝達された回転力に基づいて所定方向に回転して紙幣搬送を行う。
【００２７】
また、後側シュート５０は、上部両側に設けられた凹部５７と、各凹部５７の内側側面に設けられたピン５８とを有している。各ピン５８の中心線は左右方向を向いており、各々の径は係止片３５の係止孔３５ｂの径よりも僅かに小さく、各々の長さは好ましくは凹部５７の左右間隔よりも短い。
【００２８】
さらに、後側シュート５０は、係止解除レバー用の左右一対の支持壁５９をその上面に有している。各支持壁５９にはその中心線が左右方向に向くように設けられた係止解除レバー用の軸支孔５９ａが形成されている。
【００２９】
マスク６０は後面を開口した箱形を成し、その後面をメインフレーム１０の前面に固定されている。このマスク６０は、前面から後面に至る横長の紙幣挿入口６１と、紙幣挿入口６１の後端下部から後側に張り出した湾曲部６２とを有している。
【００３０】
紙幣収納カセット７０は上面及び前面を開口した箱形を成し、ベースボックス２０内に着脱自在に取り付けられている。この紙幣収納カセット７０は、前面開口の左右に設けられた縦長のレール７１と、両レール７１の左右間隔よりも左右幅が僅かに大きく両レール７１の後側に配置された縦長矩形状のカセットプレート７２と、カセットプレート７２を前方に付勢する円錐台状のコイルバネ７３と、ベースボックス２０内への紙幣収納カセット７０の装着とその解除を行うフックレバー（図示省略）と、フックレバー（図示省略）を後面側から操作するための切り欠き７４とを有している。
【００３１】
係止解除レバー８０は、矩形状の押圧部８１と、押圧部８１の後端から前方に伸びる縦断面Ｌ字形の姿勢制御部８２と、姿勢制御部８２の左右両側に設けられた弾性片８３と、各弾性片８３にその中心線が左右方向に向くように設けられた軸部８４と、押圧部８１の左右両側に設けられ左右方向に伸びる棒状部８５と、各棒状部８５の先端に設けられた操作部８６とを有している。この係止解除レバー８０は両弾性片８３を内側に撓ませて各々の軸部８４を後側シュート５０の左右の支持壁５８の軸支孔５８ａに挿入することによって後側シュート５０の上面に取り付けられており、軸支箇所を支点とした傾動動作ができるようになっている。また、この取付状態では姿勢制御部８２がメインフレーム１０の上側張出部１１に近接するようになっていて、押圧部８１が浮き上がるように傾動したときの角度制限を姿勢制御部８２の上側張出部１１への接触によって行えるようになっている。
【００３２】
各操作部８６は縦断面略三角形を成していて、各々の外面は内側に向かって傾く傾斜面８６ａとなっている。両操作部８６の下端の左右間隔は、両係止片３５の内面の左右間隔よりも僅かに小さい。
【００３３】
前述の紙幣識別装置では、後側シュート５０が閉塞位置にあるとき、紙幣搬送ユニット４０はその前後を前側シュート３０と後側シュート５０に挟み込まれたような状態となり、上部湾曲部３１と湾曲部５１の存在もあって、紙幣搬送ユニット４０の周囲には各無端ベルト４３と各ローラ３３，５２との境界面を含む逆Ｕ字形の紙幣通路ＢＰ（図５参照）が形成される。この紙幣通路ＢＰの前側下端はマスク６０の湾曲部６２を介して紙幣挿入口６１の後端と連通している。
【００３４】
また、図５に符号ＲＬで示すライン（以下、停止ラインＲＬと言う）は紙幣収納位置に搬送された紙幣ＰＭの後端を示すものであり、換言すれば、紙幣収納位置に搬送される紙幣ＰＭはその後端が停止ラインＲＬに合致したところで停止する。
【００３５】
尚、前述の紙幣識別装置の紙幣搬送ユニット４０とその前後のローラ３３，５２は請求範囲における「紙幣搬送機構」に相当し、モータ１０５を動力源とする搬送駆動源（図示省略）は請求範囲における「搬送駆動手段」に相当し、紙幣収納カセット７０は請求範囲における「紙幣収納部」に相当し、紙幣収納プレート２１及びリンク機構２２は請求範囲における「紙幣収納機構」に相当し、モータ１０４を動力源とする収納駆動源（図示省略）は請求範囲における「収納駆動手段」に相当する。また、真偽識別センサ４７，５３は請求範囲における「真偽識別手段」に含まれる。
【００３６】
次に、図８を参照して、紙幣識別装置の紙幣搬送に係るコントロールシステムについて説明する。
【００３７】
図８に示したコントロールシステムは、マイクロコンピュータを内蔵したコントローラ１０１と、コントローラ１０１からの制御信号に基づいて前記収納駆動源（図示省略）のモータ１０４と前記搬送駆動源（図示省略）のモータ１０５のそれぞれに駆動信号を送出するドライバ１０２と、前記挿入検知センサ３４，４４と前記真偽識別センサ４７，５３と前記通過検知センサ５５のそれぞれの検知信号をコントロールシステム１０１で取り扱える信号に変換して該コントロールシステム１０１に送出するディテクタ１０３とを備えている。
【００３８】
コントローラ１０１のメモリ（図示省略）には、紙幣搬送に係るプログラム（図９参照）と紙幣搬送の制御に必要なデータが格納されており、ディテクタ１０３から入力される信号に基づき紙幣搬送に係るプログラム（図９参照）に従ってドライバ１０２に制御信号を送出する。また、コントローラ１０１は前記真偽識別センサ４７，５３の検知信号に基づいて挿入紙幣の種類（１０００円札，２０００円札，５０００円札，１００００円札）を判別する機能を有している。つまり、挿入された紙幣ＰＭが真正であるとき、コントローラ１０１は真正な紙幣ＰＭを表すデータのみならずその種類を表すデータも他のデバイスに送出することができる。
【００３９】
次に、図９〜図１３を参照して、紙幣識別装置の紙幣搬送に係る動作、具体的には紙幣識別装置を自動販売機に用いた場合の動作について説明する。
【００４０】
図１０に示すように、紙幣挿入口６１に挿入された紙幣ＰＭの先端が挿入検知センサ３４，４４の検知領域に達すると、該挿入検知センサ３４，４４からの信号に基づいて紙幣挿入が認識される（図９のステップＳ１参照）。
【００４１】
紙幣挿入が認識されると、搬送駆動源（図示省略）のモータ１０５が回転を開始し、これにより紙幣搬送ユニット４０の各無端ベルト４３が回転を開始して、挿入された紙幣ＰＭの搬送が開始される（図９のステップＳ２参照）。
【００４２】
紙幣ＰＭが紙幣収納位置に到達するまでの搬送途中では真偽識別センサ４７，５３からの信号に基づいて紙幣ＰＭの真偽が識別される共に真正である場合はその種類（１０００円札，２０００円札，５０００円札，１００００円札）も判別される（図９のステップＳ３参照）。先に述べたように、挿入された紙幣ＰＭが真正であるときには真正な紙幣ＰＭを表すデータのみならずその種類を表すデータもコントローラ１０１から他のデバイスに送出される。
【００４３】
搬送開始後は紙幣ＰＭは紙幣通路ＢＰに沿って搬送され、図１１に示すように、該紙幣ＰＭが紙幣収納位置（紙幣ＰＭの後端が停止ラインＲＬに合致する位置）に到達したところで紙幣搬送は停止される（図９のステップＳ４参照）。つまり、紙幣挿入口６１に挿入された紙幣ＰＭは１回の連続搬送で紙幣収納位置に到達することになる。また、紙幣収納位置に到達した紙幣ＰＭはその後端部を下側の左右２個のローラ５２と左右の無端ベルト４３との間に挟み込まれて保持されているため、同位置から下方に落下したり左右にぶれることはない。
【００４４】
ここで、紙幣ＰＭが紙幣収納位置に到達したところで紙幣搬送を停止させる方法について説明する。搬送途中の紙幣ＰＭの先端が紙幣検知レバー５４の先端位置に達すると、図１１に波線で示すように該紙幣検知レバー５４はコイルバネ（図示省略）の付勢力に抗して時計回り方向に僅かに回転し、この紙幣検知レバー５４の動きが通過検知センサ５５からの信号に基づいて検出される。この検出時点から搬送駆動源（図示省略）のモータ１０５に送出される駆動信号は計時でき、また、紙幣ＰＭの後端が停止ラインＲＬに近づく前には既に紙幣ＰＭの真偽識別及び種類判別は完了しているから、種類判別された紙幣ＰＭの長さを単位時間当たりの紙幣送り量で除算して得た目標時間に前記計時値が達したところで搬送駆動源（図示省略）のモータ１０５を停止させれば、紙幣ＰＭの種類に拘わらずその後端が停止ラインＲＬに合致したところで紙幣搬送を停止させることができる。
【００４５】
紙幣ＰＭが真正であり、且つ、自動販売機に対して所定の商品購入操作が成されたときには、図１２及び図１３に示すように、収納駆動源（図示省略）のモータ１０４が回転を開始し、これによりリンク機構２２の形態が変化して紙幣収納プレート２１が左方向に平行移動し、紙幣収納位置に存する紙幣ＰＭは該紙幣収納プレート２１と一緒に左方向に移動し、カセットプレート７２をコイルバネ７３の付勢力に抗して押し退けるようにして紙幣収納カセット７０内に押し込まれる。押し込み後は収納駆動源（図示省略）のモータ１０４が更に回転しリンク機構２２及び紙幣収納プレート２１が元の位置に復帰して、一連の紙幣収納が完了する（図９のステップＳ５〜Ｓ７参照）。紙幣ＰＭが紙幣収納プレート２１と一緒に左方向に移動して紙幣収納カセット７０内に押し込まれる過程では、図１２に示すように紙幣ＰＭの後端部は下側の左右２個のローラ５２と左右の無端ベルト４３との間から抜け出して下側の左右２個のローラ５２を乗り越えるように湾曲して復帰し、また、両側部分は左右のレール７１を乗り越えるように湾曲して復帰する。
【００４６】
一方、紙幣ＰＭが真正でないとき（識別不可も含む）、または、紙幣ＰＭが真正であっても自動販売機に対して所定の商品購入操作が成されていないときには、搬送駆動源（図示省略）のモータ１０５が逆方向に回転し、これにより紙幣搬送ユニット４０の各無端ベルトが逆方向に回転して、紙幣収納位置にある紙幣ＰＭが紙幣挿入口６１に向かって搬送されて返却される（図９のステップＳ５，Ｓ６，Ｓ８参照）。紙幣ＰＭを返却する際の紙幣搬送量はモータ１０５に供給される駆動信号の計時値によって制御される。
【００４７】
このように、前述の紙幣識別装置では、紙幣挿入口６１に挿入された紙幣ＰＭを１回の連続搬送で紙幣収納位置（紙幣ＰＭの後端が停止ラインＲＬに合致する位置）に到達するように紙幣搬送が制御されるので、紙幣が真正であるときに該紙幣を識別完了位置からその先の紙幣収納位置に搬送するようにした従前の装置に比べ、紙幣ＰＭが真正であると識別された後に該紙幣の収納動作を極力早いタイミングで開始できる。これにより、従前の装置のような時間（紙幣を識別完了位置からその先の紙幣収納位置に搬送する時間）を無くせるので、該時間を悪用されて不正行為、例えば、テープ等を付けた真正な紙幣を挿入して識別完了後に該紙幣を抜き取る行為が行われることを防止できる。
【００４８】
また、紙幣収納位置に到達した紙幣ＰＭの後端部は下側の左右２個のローラ５２と左右の無端ベルト４３との間に挟み込んで保持されるので、同位置からの紙幣収納動作を的確に行えると共に同位置からの返却動作も的確に行える。
【００４９】
さらに、搬送駆動源（図示省略）としてモータ１０５を動力源としたものを用いているので、モータ１０５に供給される駆動信号の計時値によって紙幣ＰＭを紙幣収納位置に搬送する際の紙幣搬送量を的確に制御できると共に紙幣ＰＭを紙幣収納位置から返却する際の紙幣搬送量を的確に制御できる。
【００５０】
尚、前述の説明では、紙幣搬送ユニット４０として左右２つの無端ベルト４３を有するものを示し、各無端ベルト４３に各々４個のローラ３３，５２を接触配置したものを示したが、該無端ベルトの数は１もしくは３以上であっても、また、各無端ベルト４３に５個以上のローラを接触配置しても、前記同様の紙幣搬送を行うことができる。
【００５１】
また、前述の説明では、逆Ｕ字形を成す紙幣通路ＢＰを有する装置に本発明を適用したが、他の形状の紙幣通路を有する装置に本発明を適用しても前記同様の作用効果が得られることは言うまでもない。
【図面の簡単な説明】
【００５２】
【図１】本発明の一実施形態を示す、紙幣識別装置を前側から見た斜視図である。
【図２】図１に示した紙幣識別装置を後側から見た斜視図である。
【図３】図１及び図２に示した紙幣識別装置の縦断面図である。
【図４】図１及び図２に示した紙幣識別装置の上面図である。
【図５】図３の要部拡大図である。
【図６】図１〜図４に示した係止レバーの斜視図である。
【図７】図１〜図４に示した係止レバーと係止片との位置関係を示す図である。
【図８】紙幣識別装置の紙幣搬送に係るコントロールシステムを示す図である。
【図９】紙幣識別装置の紙幣搬送に係るプログラムフローを示す図である。
【図１０】紙幣識別装置の紙幣搬送に係る動作説明図である。
【図１１】紙幣識別装置の紙幣搬送に係る動作説明図である。
【図１２】紙幣識別装置の紙幣搬送に係る動作説明図である。
【図１３】紙幣識別装置の紙幣搬送に係る動作説明図である。
【符号の説明】
【００５３】
１０…メインフレーム、２０…ベースボックス、２１…紙幣収納プレート、２２…リンク機構、３０…前側シュート、３３…ローラ、４０…紙幣搬送ユニット、４３…無端ベルト、４７…真偽識別センサ、５０…後側シュート、５２…ローラ、５３…真偽識別センサ、６０…マスク、６１…紙幣挿入口、７０…紙幣収納カセット、１０５…搬送駆動源のモータ、ＰＭ…紙幣、ＢＰ…紙幣通路、ＲＬ…停止ライン。
【図１】
2008084153.tif 000003
【図２】
2008084153.tif 000004
【図３】
2008084153.tif 000005
【図４】
2008084153.tif 000006
【図５】
2008084153.tif 000007
【図６】
2008084153.tif 000008
【図７】
2008084153.tif 000009
【図８】
2008084153.tif 000010
【図９】
2008084153.tif 000011
【図１０】
2008084153.tif 000012
【図１１】
2008084153.tif 000013
【図１２】
2008084153.tif 000014
【図１３】
2008084153.tif 000015